(57)【要約】  各タイヤサイズの異なる種類の車両車輪用グリーンタイヤを、基本半製品の使用によって組み立てるためのプラントおよび工程が開示される。工程は、ａ）グリーンタイヤのカーカス構造を組み立てるステップであって、前記カーカス構造が少なくとも１つのカーカスプライと一対の環状アンカー構造とを含むステップと、ｂ）グリーンタイヤのクラウン構造を組み立てるステップとを含み、前記クラウン構造が少なくとも１つのベルト構造とトレッドバンドとを含み、カーカス構造を組み立てるステップとクラウン構造を組み立てるステップのうちの少なくとも１つが、ｃ）第１の基本半製品の少なくとも１つの第１の供給ユニット（１２）と、第２の基本半製品の１つの第２の供給ユニット（１２）を設けるステップであって、前記少なくとも１つの第１の基本半製品と少なくとも１つの第２の基本半製品は互いに異なる、ステップと、ｄ）前記第１の基本半製品および第２の基本半製品の前記第１の供給ユニットおよび第２の供給ユニットが設けられる１つのワークステーションにおいて、前記第１の基本半製品と第２の基本半製品との少なくとも１つから開始して被加工タイヤの構造部品の少なくとも１つの部分を組み立てるステップと、を含む。
2013514909.tif 000002
【特許請求の範囲】
【請求項１】
複数のワークステーションを含む組立プラントにおいて、各タイヤサイズの異なる種類の車両車輪用グリーンタイヤを基本半製品の使用によって組み立てるための工程であって、
ａ）グリーンタイヤのカーカス構造を組み立てるステップであって、前記カーカス構造が少なくとも１つのカーカスプライと一対の環状アンカー構造とを含むステップと、
ｂ）グリーンタイヤのクラウン構造を組み立てるステップであって、前記クラウン構造が少なくとも１つのベルト構造とトレッドバンドとを含むステップと、
ｃ）少なくとも２つのワークステーションのそれぞれにおいて、第１の基本半製品の少なくとも１つの第１の供給ユニット（１２）と、第２の基本半製品の少なくとも１つの第２の供給ユニット（１２）とを設けるステップであって、前記少なくとも１つの第１の基本半製品と前記少なくとも１つの第２の基本半製品は互いに異なるステップと、
ｄ）前記少なくとも２つのワークステーションのそれぞれにおいて、前記第１の基本半製品または前記第２の基本半製品の少なくとも１つから開始して前記被加工タイヤの構造部品の少なくとも１つの部分を組み立てるステップと、を含む工程。
【請求項２】
前記少なくとも２つのワークステーションのそれぞれにおいて、前記第１の基本半製品または前記第２の基本半製品の少なくとも１つから前記被加工タイヤの構造部品の少なくとも１つの部分を前記組み立てるステップが、
−第１のベルトストリップを取り付けるステップと、
−第２のベルトストリップを前記第１のベルトストリップの半径方向外側の位置に取り付けるステップと、
−前記半径方向外側のベルトストリップの半径方向外側の位置に周方向に配置され、かつ少なくともその軸方向外側部分に取り付けられる少なくとも１つの第１の繊維または金属コードの層を取り付けるステップと、
−第１のカーカスプライを取り付けるステップと、
−第２のカーカスプライを前記第１のカーカスプライの半径方向外側の位置に取り付けるステップと、の中の少なくとも１つを含む、請求項１に記載の工程。
【請求項３】
前記クラウン構造を組み立てるステップが、
−少なくとも１つのエラストマー材料の連続的な細長い要素を隣接するおよび／または半径方向に並置されたコイル状に形成ドラムの半径方向外側の表面上に巻き付けることにより前記トレッドバンドを組み立てるステップを含む、請求項１または２に記載の工程。
【請求項４】
前記トレッドバンドを組み立てるステップが少なくとも２つの異なるエラストマー材料の連続的な細長い要素の使用により実施される、請求項３に記載の工程。
【請求項５】
前記被加工タイヤを組み立てるステップが少なくとも１つの形成ドラム上で実施される請求項１〜４のいずれか１項に記載の工程。
【請求項６】
−前記被加工タイヤの前記カーカス構造を組み立てるステップは少なくとも１つのカーカス構造組立ライン（２'）の第１の形成ドラム（６）上で実施され、
−前記被加工タイヤの前記クラウン構造を組み立てるステップは少なくとも１つのクラウン構造組立ライン（３'）の少なくとも１つの第２の形成ドラム（７）上で実施される、請求項５に記載の工程。
【請求項７】
ｅ）前記被加工タイヤの少なくとも１つの組み付けおよび成形ワークステーション（４）において、前記カーカス構造を、前記クラウン構造に組み付けながら、トロイダル状に成形するステップをさらに含む、請求項１〜６のいずれか１項に記載の工程。
【請求項８】
各カーカス構造が、前記各々の第１の形成ドラム（６）に関連付けられており、前記各々の第１の形成ドラム（６）の上で、前記被加工タイヤの前記成形および組み付けが終了するまで組み立てられる、請求項６および７に記載の工程。
【請求項９】
−前記少なくとも１つの第１の基本半製品と前記少なくとも１つの第２の基本半製品を基本半製品準備ライン（２８）に配置するステップをさらに含む、請求項１〜８のいずれか１項に記載の工程。
【請求項１０】
−前記少なくとも１つの第１の基本半製品と前記少なくとも１つの第２の基本半製品を各々の一時保管ユニット（２９）に搬送するステップをさらに含む、請求項９に記載の方法。
【請求項１１】
−前記少なくとも１つの第１の基本半製品と前記少なくとも１つの第２の基本半製品を一時保管ユニット（２９）から前記対応するワークステーションの前記対応する供給ユニット（１２）に搬送するステップをさらに含む、請求項１〜１０のいずれか１項に記載の工程。
【請求項１２】
前記被加工タイヤが１つのワークステーションから前記次のワークステーションに少なくとも１つのロボットアーム（２７）によって搬送される、請求項１〜１１のいずれか１項に記載のグリーンタイヤを組み立てるための工程。
【請求項１３】
複数のワークステーションに供給される基本半製品の使用によって、各タイヤサイズの異なる種類の車両車輪用グリーンタイヤを組み立てるためのプラント（１;１'）であって、
−それぞれに互いに異なる少なくとも１つの第１の基本完成品と少なくとも１つの第２の基本完成品が供給される、少なくとも１つの第１のワークステーションと少なくとも１つの第２のワークステーションと、
−前記少なくとも１つの第１の基本半製品と前記少なくとも１つの第２の基本半製品とが供給される前記ワークステーションのそれぞれの、前記第１の基本半製品の少なくとも１つの第１の供給ユニット（１２）と前記第２の基本半製品の少なくとも１つの第２の供給ユニット（１２）とを含み、
−前記第１のワークステーションと前記第２のワークステーションのそれぞれが、前記ワークステーション自体に供給される前記第１の基本半製品と前記第２の基本半製品とのうち選択した少なくとも１つの基本半製品から開始して、前記被加工タイヤの構造部品の少なくとも１つの部分を組み立てるように適合されている、プラント（１;１'）。
【請求項１４】
基本半製品の一時保管ユニット（２９）を少なくとも１つ含む、請求項１３に記載のプラント。
【請求項１５】
少なくとも１つの第１の基本半製品と少なくとも１つの第２の基本半製品とが供給される前記ワークステーションは４つである、請求項１３または１４に記載のプラント。
【請求項１６】
前記第１のワークステーションと前記第２のワークステーションのそれぞれに供給される前記異なる基本半製品は２つである、請求項１３〜１５のいずれか１項に記載のプラント。
【請求項１７】
前記第１の基本半製品と前記第２の基本半製品とが供給される各ワークステーションには、半製品の対応する供給ユニット（１２）が設けられる、請求項１３〜１６のいずれか１項に記載のプラント。
【請求項１８】
基本半製品準備ライン（２８）をさらに含む、請求項１３〜１７のいずれか１項に記載のプラント。
【請求項１９】
少なくとも１つの第１の基本半製品と少なくとも１つの第２の基本半製品とが供給される前記少なくとも１つの第１のワークステーションと前記少なくとも１つの第２のワークステーションとの少なくとも１つが、
−少なくとも１つの第１のベルトストリップを取り付けるためのデバイスが設けられる第１のベルト取付けワークステーション（９）と、
−前記第１のベルトストリップの半径方向外側の位置に第２のベルトストリップを取り付けるためのデバイスが設けられる第２のベルト取付けワークステーション（３１）と、
−前記半径方向外側のベルトストリップの周方向に配置され、少なくとも前記ベルトストリップの軸方向外側部分に取り付けられる、少なくとも１つの第１の繊維または金属コードの層を取り付けるためのデバイスが設けられるコード取付けワークステーション（１０）と、
−少なくとも１つの第１のカーカスプライを取り付けるためのデバイスが設けられるプライ取付けワークステーション（８）と、の中の１つを含む、請求項１３に記載のプラント。
【請求項２０】
前記タイヤが組み立てられる少なくとも１つの形成ドラムをさらに含む、請求項１３に記載のプラント。
【請求項２１】
−第１の形成ドラム（６）上の少なくとも１つのカーカス構造組立ライン（２;２'）であって、前記カーカス構造が少なくとも１つのカーカスプライと一対の環状アンカー構造とを含む、少なくとも１つのカーカス構造組立ライン（２;２'）と、
−第２の形成ドラム（７）上の少なくとも１つのクラウン構造組立ライン（３;３'）であって、前記クラウン構造が少なくとも１つのベルト構造とトレッドバンドとを含む、少なくとも１つのクラウン構造組立ライン（３;３'）と
をさらに含む、請求項１３〜２０のいずれか１項に記載のプラント。
【請求項２２】
−グリーンタイヤを得るために、前記カーカス構造を前記クラウン構造に組み付けることにより成形するように適合された、前記被加工タイヤの少なくとも１つの組み付けおよび成形ワークステーション（４;４'）をさらに含む、請求項２１に記載のプラント。
【請求項２３】
以下のタイプの少なくとも１つのワークステーション、すなわち、
−少なくとも１つのトレッドバンド組立ワークステーション（１１）であって、エラストマー材料の連続的な細長い要素を、隣接するおよび／または半径方向に並置されたコイル状に形成ドラムの半径方向外側の表面上に巻き付けることにより配置するように適合された前記トレッドバンドの少なくとも１つの取付けデバイス（３０）が設けられる少なくとも１つのトレッドバンド組立ワークステーション（１１）
をさらに含む、請求項１３に記載のプラント。
【請求項２４】
前記トレッドバンド組立ワークステーション（１１）が、少なくとも２つの前記取付けデバイス（３０）であって、そのそれぞれが他方と異なるエラストマー材料の連続的な細長い要素を供給する少なくとも２つの前記取付けデバイス（３０）を含む、請求項２３に記載のプラント。
【請求項２５】
前記被加工タイヤを１つのワークステーションから次のワークステーションに搬送するためのデバイスをさらに含む、請求項１３〜２４のいずれか１項に記載のプラント。
【請求項２６】
前記搬送デバイスが少なくとも１つのロボットアーム（２７）を含む、請求項２５に記載のプラント。
【請求項２７】
複数のワークステーションを含む組立プラント（１;１'）において、基本半製品の使用によって、各タイヤサイズの異なる種類の車両車輪用グリーンタイヤを組み立てるための方法であって、
−ｎｋ個の異なる基本半製品を、前記ｎｋ個の基本半製品が供給されるｍ個のワークステーションのｋ番目のワークステーションそれぞれに供給するステップと、
−ｋ番目のワークステーションそれぞれにおいて、前記ワークステーション自体に供給される前記ｎｋ個の基本半製品から選択される少なくとも１つの基本半製品から開始して前記被加工タイヤの構造部品の少なくとも１つの部分を組み立てるステップと、を含み
各サイズのグリーンタイヤの前記異なる種類は、Πｋ=１，ｍ  ｎｋに等しく、
ｍおよび各ｎｋは２以上である、方法。
【請求項２８】
ｍが３以上である請求項２７に記載の方法。
【請求項２９】
ｍが４に等しい請求項２７または２８に記載の方法。
【請求項３０】
ｋ番目のワークステーションそれぞれにおいてｎｋは２に等しい、請求項２７〜２９のいずれか１項に記載の方法。
【請求項３１】
ｋ番目のワークステーションの少なくとも１つのｎｋは３以上である、請求項２７〜３０のいずれか１項に記載の方法。
【請求項３２】
−基本半製品の各々の一時保管ユニット（２９）に、事前に用意された基本半製品を保管するステップ
をさらに含む、請求項２７〜３１のいずれか１項に記載の方法。
【請求項３３】
−基本半製品準備ライン（２８）に配置された前記基本半製品を前記各々の一時保管ユニット（２９）に搬送するステップ
をさらに含む、請求項３２に記載の方法。
【請求項３４】
−前記ｎｋ個の基本半製品を前記一時保管ユニット（２９）から前記対応するｋ番目のワークステーションの対応する半製品供給ユニット（１２）に搬送するステップ
をさらに含む、請求項３２または３３のいずれか１項に記載の方法。
【請求項３５】
前記ｋ番目のワークステーションに供給される前記ｎｋ個の基本半製品から選択される少なくとも１つの基本半製品から開始して前記被加工タイヤの構造部品の少なくとも１つの部分を前記組み立てるステップが、
−少なくとも１つのエラストマー材料の連続的な細長い要素を、隣接するおよび／または半径方向に並置されたコイル状に形成ドラムの半径方向外側の表面上に巻き付けるステップ
を含む、請求項２７〜３４のいずれか１項に記載の方法。
【請求項３６】
前記連続的な細長い要素は２つであり、かつ異なるエラストマー材料から作成される、請求項３５に記載の方法。
【請求項３７】
ｋ番目のワークステーションに供給される各基本半製品は、異なるｋ番目のワークステーションに供給される各基本半製品と異なる、請求項２７〜３６のいずれか１項に記載の方法。
【請求項３８】
ｋ番目のワークステーションに供給される各基本半製品は、ｍ個のワークステーションの前記残りのワークステーションに供給される前記残りのすべての基本半製品と異なる、請求項２７〜３７のいずれか１項に記載の方法。
【発明の詳細な説明】
【技術分野】
【０００１】
本発明は、車両車輪用グリーンタイヤを組み立てるための工程および方法に関する。特に、本発明は、基本半製品を使用することによりグリーンタイヤを組み立てるための工程および方法に関する。
【０００２】
本発明は、また、上述の組立工程の実施において使用可能な、車両車輪用グリーンタイヤを組み立てるためのプラントに関する。
【背景技術】
【０００３】
タイヤ製造サイクルでは、１つ以上の組立ラインにおいてタイヤそれ自体の種々の構成要素が作成されるおよび／または組み付けられる組立工程の後、所望のトレッド幾何学的形状および設計に従いタイヤ構造を画定するように適合された適切な加硫ラインにおいて成型および加硫工程が実行されることが想定される。
【０００４】
タイヤは、一般に、実質的に半径方向の面（半径方向の面はタイヤの回転軸線を含む）に配置された補強コードによって補強された１つ以上のカーカスプライを含むトロイダルリング形状のカーカス構造を含む。各カーカスプライはその端部が、ビードの補強部をなすビードコアとして公知の少なくとも１つの金属補強環状構造、すなわちタイヤを、それに対応する装着用リムと組み付けることを可能にする機能を有するタイヤの半径方向内側端部と一体的に組み合わされている。前記カーカスに対してクラウン方向に配置されるのはトレッドバンドと呼ばれるエラストマー材料のバンドであり、成型および加硫ステップの最後に、その範囲内に、接地用の隆起したパターンが形成される。一般にベルト構造として公知の補強構造がカーカスとトレッドバンドとの間に配置される。そのような構造は、通常、自動車用タイヤの場合、少なくとも２つの半径方向に重なるゴム繊維のストリップを含み、このストリップには、各ストリップにおいて互いに平行に、かつ隣接するストリップのコードと交差して配置される、好ましくはタイヤの赤道面に対称な、通常金属の補強コードが設けられる。好ましくは、ベルト構造は、半径方向外側位置に、少なくとも下層のベルトストリップの端部上に、第３の繊維または金属コードの層もさらに含み、これは周方向に（０度で）配置される。
【０００５】
最後に、チューブレスタイプのタイヤでは、ライナと呼ばれる半径方向内側層があり、これはタイヤそれ自体の気密性を確保するための不浸透特性を有する。
【０００６】
本発明の目的および以下の特許請求の範囲において、「エラストマー材料」という用語は、少なくとも１つのエラストマーポリマーと少なくとも１つの補強フィラーとを含む組成物を意図する。好ましくは、そのような組成物は架橋剤および／または可塑剤などの添加剤をさらに含む。架橋剤により、そのような材料は加熱により架橋させることができ、それにより最終製品が形成される。
【０００７】
本文脈において、「グリーンタイヤ」という用語は、組立工程により得られたものの未加硫のタイヤを意味する。
【０００８】
本記載および以下の特許請求の範囲において、「基本半製品」とは、中に少なくとも１つの繊維または金属補強コードを有するエラストマー材料の連続的な細長い要素および／または一般に「ストリップ状の要素」と呼ばれる前記連続的な細長い要素を定寸に切断することにより得られるエラストマー材料のストリップを意味する。一般に、そのような半製品は、特に、例えば、カーカスプライ、ベルトストリップ、いくつかの種類の補強材の形成に寄与するストリップ状の要素の場合、交互に並んで配置される。好ましくは、そのような並んだ相互配置は実質的に円筒状のおよび／または実質的にトロイダルのおよび／または実質的に平らな配置面において実施される。
【０００９】
本記載において、「技術的柔軟性」とは、各タイヤにおいて、エラストマー材料の種類または繊維コードまたは金属補強コードの種類が異なる基本半製品を使用する可能性を意味する。
【００１０】
本発明の目的および以下の特許請求の範囲では、タイヤの「構造部品」という用語は、タイヤの機能を実施するように適合された、例えば、ライナ、サブライナ、カーカスプライ、アンダーベルトインサート、交差するまたはゼロ度のベルトストリップ、トレッドバンドの連結スキムコート、トレッドバンド、ビードコア、ビードフィラー、繊維または金属またはエラストマー材料のみから作られた補強インサート、耐摩耗インサート、サイドウォールインサートの中から選択した任意の構成要素を意味する。
【００１１】
本発明の目的および以下の特許請求の範囲では、タイヤの「サイズ」という用語は、タイヤを特徴付ける一連の幾何学的特徴、つまり少なくともトレッドバンド幅、サイドウォール高さ、取り付け直径を意味する。
【００１２】
本記載および以下の特許請求の範囲において、タイヤの「種類」とは、（例えば、１プライ構造つまたは２プライ構造、ラジアルカーカスプライまたはクロスカーカスプライ、ベルト構造有りまたは無し、ベルト構造の種類（クロスベルト、ゼロ度、クロスベルトとゼロ度）、１つ以上の層を有するトレッドバンドの種類、などのような）一連の構造的特徴および（例えば、種々の構造部品の組み合わせ、繊維または金属補強コードを構成する材料、補強コードの構成の種類等のような）技術的特徴を意味する。
【００１３】
欧州特許出願公開第０  ７７６  ７５６  Ａｌ号は、内層と、少なくとも１つのカーカスプライと、２つのサイド部分と、２つのビードとを有し、少なくとも１つのベルトストリップとトレッドバンド層とを備えたクラウン構造を有するカーカスアセンブリを有する車両車輪用のタイヤを製造するための装置について記載している。ここで、少なくとも１つのカーカス製造ステーションおよび／またはベルト製造ステーションには、本質的に同一の材料の連結のために互いに独立して制御されうる少なくとも２つの連結デバイスと、各連結デバイスと関連する、同一構成要素を供給するための少なくとも１つの供給デバイスとが設けられる。
【００１４】
同一出願人名義の国際公開第０１／３２４０９号は、作業ステーションが設けられ、そのそれぞれが、被加工タイヤの少なくとも１つの構造部品の作成および組み付けを行うように配置されているタイヤ組立ラインについて記載し、このラインでは、互いに異なる少なくとも１つの第１の種類のタイヤと第２の種類のタイヤを含む少なくとも１つの組のタイヤが同時に処理され、加硫ラインへのタイヤの搬送はロボットアームにより、前記作業ステーションのそれぞれへのタイヤの搬送速度に等しい搬送速度に従い実施される。
【００１５】
同一出願人名義の国際公開第０９／０４０５９４号パンフレットは、ａ）グリーンタイヤのカーカス構造を第１の形成ドラム上で組み立てるステップと、ｂ）グリーンタイヤのクラウン構造を少なくとも１つの第２の形成ドラム上で組み立てるステップと、ｃ）被加工タイヤの成形および組み付けのための少なくとも１つのステーションにおいて、前記カーカス構造を、、前記クラウン構造に組み付けながら、トロイダル状に成形するステップであって、前記組み付けおよび成形ステーションがカーカス構造の組立ラインおよびクラウン構造の組立ラインと同期され、各カーカス構造が、被加工タイヤの成形および組み付けステップｃ）の終了までそれが組み立てられる各々の第１の形成ドラムと関連付けられるステップと、ｄ）グリーン形状のタイヤを成型および硬化するステップと、を含む、車両車輪用のタイヤを製造するための工程について記載する。
【００１６】
米国特許出願公開第２００７／０１７５５６７号は、コンベアを組み付け経路に沿って順次可動するための可動システムと、グリーンタイヤ構成要素を各コンベアに振り分けるための経路沿いに離間して配置された構成要素を振り分けるための複数のステーションと、を含み、各ステーションが、第１の位置決め構造に着脱可能に連結される第２の位置決め構造を有する少なくとも１つの可動コンベアと、グリーンタイヤ構成要素を供給するための手段と、グリーンタイヤ構成要素をコイルから巻き取り、それを各々のステーションに配置されたコンベアに供給するための供給機構と、選択した長さが巻き取られるとグリーンタイヤ構成要素を切断するための切断機構とを含む、タイヤを組み立てるための装置について記載している。
【００１７】
国際公開第０１／３２４０９号パンフレットに記載されている種類の方法は、互いに同期した、自動化された、標準的な工程による組み立てのために基本半製品を使用して、トロイダル形成支持体上で組み立てられるタイヤの製造工程の生産性の向上を目的としている。しかしながら、そのような方法では高い技術的柔軟性を得ることはできない。実際には、そのような方法は、寸法、いくつかのタイヤの構造部品（１つまたは２つのカーカスプライ、ビード領域の補強要素など）の有無、ビードコアを形成するゴム被覆金属ワイヤ（rubber metal wires）のコイルのビード領域における配置、ゼロ度で延在するベルト層が多いか少ないか、トレッドバンドにおける層およびサブ層の存在などの、限られた特徴において異なるタイヤを製造するのに適切であるに過ぎない。
【００１８】
欧州特許第０  ７７６  ７５６号に示される種類の方法は、その一方で、互いに異なる特徴を有する半製品からタイヤを得ることを可能にするため、技術的により柔軟であるが、それらは、例えば、製造されるべきタイヤの種類が変わると、それらの実施に大規模プラントが必要となるために、生産性の点において制限がある。
【００１９】
国際公開第０９／０４０５９４号パンフレットに記載されている工程は生産性の点において欧州特許第０  ７７６  ７５６号に示された種類の工程に類似しており、国際公開第０１／３２４０９号パンフレットに記載されている種類の工程と比較するとより柔軟性があるが、そのような工程の技術的柔軟性にもまた制限がある。実際は、そのような工程では、異なるサイズの、および異なる構造部品を有するタイヤを同時に製造することは可能であるが、限定数の半製品から開始される組み立て済み構造部品の選択を要する。この種の工程では、実際には、既定の基本半製品を用いたタイヤの組み立てが開始されると、選択した半製品を交換するために製造を中断しなければならず、結果として製造の障害となる。
【００２０】
さらに、本出願人は、上方に示される種類の基本半製品を使用する製造タイヤプラントでは、多数の材料および／または半製品の管理がタイヤの種々の部分の製造ステップを同期させるにあたり問題となり、それによって製造プラントの全般的な管理に問題が生じ、生産性にマイナスとなることに気づいた。
【００２１】
したがって、本出願人は、互いに大きく異なる技術的要件を有するタイヤを組み立て、国際公開第０１／３２４０９号パンフレットに示される種類の工程の生産性を向上させ、国際公開第０９／０４０５９４号パンフレットに示される種類の工程の柔軟性を増加させ、大規模かつ管理困難な製造プラントを回避し、欧州特許第０  ７７６  ７５６号に示される工程のように同期するため、組立プラントと、半製品を使用する際に組立工程を中断することなく異なる基本半製品の中から基本半製品を選択する可能性を提供する工程とを有することが必要であることを認識した。
【００２２】
そこで本出願人は、複数の基本半製品を複数のワークステーションのそれぞれに供給する、グリーンタイヤを組み立てるための工程を適用することにより、生産性も高く保ちつつ高い技術的柔軟性を備えた多様多種なタイヤを得ることが可能であることを認識した。
【００２３】
本出願人は、タイヤの構造部品を組み立てるように適合された少なくとも２つのワークステーションに基本半製品の複数の供給ユニットが設けられ、基本半製品が互いに異なり、好ましくは予め配置されるおよび／または保管される、組立工程およびプラントによって、サイズだけでなく、種類、特に、基本半製品の種類が異なるタイヤを組み立てることが可能であることを見いだした。
【００２４】
特に、その第１の態様によれば、本発明は、複数のワークステーションを含む組立プラントにおける、基本半製品の使用によって、各タイヤサイズの異なる種類の車両車輪用グリーンタイヤを組み立てるための工程に関し、
ａ）グリーンタイヤのカーカス構造を組み立てるステップであって、前記カーカス構造が少なくとも１つのカーカスプライと一対の環状アンカー構造とを含むステップと、
ｂ）グリーンタイヤのクラウン構造を組み立てるステップであって、前記クラウン構造が少なくとも１つのベルト構造とトレッドバンドとを含むステップと、
ｃ）少なくとも２つのワークステーションのそれぞれにおいて、第１の基本半製品の少なくとも１つの第１の供給ユニットと、第２の基本半製品の少なくとも１つの第２の供給ユニットとを設けるステップであって、前記少なくとも１つの第１の基本半製品と少なくとも１つの第２の基本半製品は互いに異なるステップと、
ｄ）前記少なくとも２つのワークステーションのそれぞれにおいて、前記第１の基本半製品または第２の基本半製品の少なくとも１つから開始して被加工タイヤの構造部品の少なくとも１つの部分を組み立てるステップと、を含む。
【００２５】
本出願人は、前記工程は製造される各タイヤについて異なる基本半製品の使用に対応するため、乏しい技術的柔軟性という上述の欠点を未然に防ぐことを可能にし、最終製品の高い性能品質および高い生産性を維持すると考える。
【００２６】
したがって、本発明による工程は技術的に柔軟性があり、かつ効率的である。
【００２７】
本出願人は、そこで、ステーションのそれぞれに供給される複数の半製品の中から選択した基本半製品の使用によりタイヤの構造部品を組み立てるように適合された少なくとも２つのステーションを含むグリーンタイヤを組み立てるためのプラントによって、高い生産性を有しながら、互いに大きく異なるタイヤを組み立てることが可能であることを見いだした。
【００２８】
特に、その第２の態様によれば、本発明は、複数のワークステーションに供給される基本半製品の使用によって、各タイヤサイズおいて、異なる種類の車両車輪用グリーンタイヤを組み立てるためのプラントに関し、前記プラントは、
−それぞれに互いに異なる少なくとも１つの第１の基本半製品と少なくとも１つの第２の基本半製品とが供給される少なくとも１つの第１のワークステーションおよび少なくとも１つの第２のワークステーションと、
−前記少なくとも１つの第１の基本半製品と少なくとも１つの第２の基本半製品とが供給される各前記ワークステーションについて、前記第１の基本半製品の少なくとも１つの第１の供給ユニットおよび前記第２の基本半製品の少なくとも１つの第２の供給ユニットとを含み、
−前記第１のワークステーションおよび第２のワークステーションのそれぞれが、ワークステーション自体に供給される前記第１の基本半製品と第２の基本半製品とのうちで選択した少なくとも１つの基本半製品から開始して被加工タイヤの構造部品の少なくとも１つの部分を組み立てるように適合されている。
【００２９】
最後に、本出願人は、ｋが１〜ｍである、前記ｎｋ個の基本半製品が供給されるｍ個のワークステーションのｋ番目のワークステーションそれぞれに、互いに異なるｎｋ個の基本半製品を供給するステップを提供する方法により、ｎ１・ｎ２・ｎ３．．．．．．・ｎｍつまりΠｋ=１，ｍ  ｎｋ個の異なる種類のグリーンタイヤを得ることが可能であることを見いだした。
【００３０】
２以上であるｍおよび各ｎｋを提供することにより、高い技術的柔軟性を達成することが可能である。
【００３１】
特に、その第３の態様によれば、本発明は、複数のワークステーションを含む組立プラントにおける、基本半製品の使用によって各タイヤサイズの異なる種類の車両車輪用グリーンタイヤを組み立てるための方法に関し、前記方法は、
−ｎｋ個の異なる基本半製品を、前記ｎｋ個の基本半製品が供給されるｍ個のワークステーションのｋ番目のワークステーションそれぞれに供給するステップと、
−ｋ番目のワークステーションそれぞれにおいて、ワークステーションそれ自体に供給される前記ｎｋ個の基本半製品から選択される少なくとも１つの基本半製品から開始して、被加工タイヤの構造部品の少なくとも１つの部分を組み立てるステップとを含み、
各サイズのグリーンタイヤの前記異なる種類が
Πｋ=１，ｍ  ｎｋに等しく、
ｍおよび各ｎｋは２以上である。ｎｋおよびｍが変化する、特に、それらが増加するため、そのような方法は各サイズにおいて非常に多数の異なるタイヤを組み立てることを可能にし、同じプラント生産性でより高い技術的柔軟性が達成される。
【００３２】
本発明は、その上記態様の少なくとも１つにおいて、以下の好適な特徴の少なくとも１つを有しうる。
【００３３】
本発明の工程の好適な実施形態によれば、前記少なくとも２つのワークステーションのそれぞれにおける前記第１の基本半製品または第２の基本半製品の少なくとも１つから加工されるタイヤの構造部品の少なくとも１つの部分を組み立てるステップは、
−第１のベルトストリップを取り付けるステップと、
−第２のベルトストリップを前記第１のベルトストリップの半径方向外側の位置に取り付けるステップと、
−半径方向外側のベルトストリップの半径方向外側の位置に周方向に配置され、かつ少なくともその軸方向外側部分に取り付けられる、少なくとも１つの第１の繊維または金属コードの層を取り付けるステップと、
−第１のカーカスプライを取り付けるステップと、
−第２のカーカスプライを前記第１のカーカスプライの半径方向外側の位置に取り付けるステップと、の中の少なくとも１つを含む。
【００３４】
好ましくは、クラウン構造を組み立てるステップは、
−少なくとも１つのエラストマー材料の連続的な細長い要素を、隣接するおよび／または半径方向に並置されたコイル状に形成ドラムの半径方向外側の表面上に巻き付けることによりトレッドバンドを組み立てるステップを含む。
【００３５】
さらにより好ましくは、前記トレッドバンドを組み立てるステップは少なくとも２つの異なるエラストマー材料の連続的な細長い要素の使用により実施される。
【００３６】
特に好適な実施形態によれば、被加工タイヤを組み立てるステップは少なくとも１つの形成ドラム上で実施される。
【００３７】
有利には、被加工タイヤのカーカス構造を組み立てるステップは少なくとも１つのカーカス構造組立ラインの第１の形成ドラム上で実施され、被加工タイヤのクラウン構造を組み立てるステップは少なくとも１つのクラウン構造組立ラインの少なくとも１つの第２の形成ドラム上で実施される。
【００３８】
さらに、本発明による工程は、好ましくは、
ｅ）被加工タイヤの少なくとも１つの組み付けおよび成形ワークステーションにおいて、カーカス構造を、前記クラウン構造に組み付けながら、トロイダル状に成形するステップを含む。
【００３９】
有利には、各カーカス構造は、各々の第１の形成ドラムに関連付けられ、各々の第１の形成ドラムの上で、被加工タイヤの成形および組み付けが終了するまで組み立てられる。
【００４０】
好ましくは、本発明の工程は前記少なくとも１つの第１の基本半製品と少なくとも１つの第２の基本半製品を基本半製品準備ラインに配置するステップを提供する。
【００４１】
有利には、本発明の工程は前記少なくとも１つの第１の基本半製品と少なくとも１つの第２の基本半製品を各々の一時保管ユニットに搬送するステップをさらに提供する。
【００４２】
好適な実施形態によれば、工程は、また、前記少なくとも１つの第１の基本半製品と少なくとも１つの第２の基本半製品を一時保管ユニットから、対応するワークステーションの対応する供給ユニットに搬送するステップを含む。
【００４３】
有利には、被加工タイヤは１つのワークステーションから次のワークステーションに少なくとも１つのロボットアームによって搬送される。
【００４４】
好適な実施形態によれば、本発明のプラントは基本半製品の少なくとも１つの一時保管ユニットを含む。
【００４５】
有利には、少なくとも１つの第１の基本半製品と少なくとも１つの第２の基本半製品とが供給されるワークステーションは４つである。
【００４６】
好ましくは、前記第１のワークステーションおよび第２のワークステーションのそれぞれに供給される異なる基本半製品は２つである。
【００４７】
好ましくは、前記第１の基本半製品および第２の基本半製品が供給される各ワークステーションには、対応する半製品の供給ユニットが設けられる。
【００４８】
好適な実施形態によれば、組立プラントは基本半製品準備ラインをさらに含む。
【００４９】
有利には、少なくとも１つの第１の基本半製品と少なくとも１つの第２の基本半製品とが供給される前記少なくとも１つの第１のワークステーションと少なくとも１つの第２のワークステーションとのうち少なくとも１つは、
−少なくとも１つの第１のベルトストリップを取り付けるためのデバイスが設けられる第１のベルト取付けワークステーションと、
−前記第１のベルトストリップの半径方向外側の位置に第２のベルトストリップを取り付けるためのデバイスが設けられる第２のベルト取付けワークステーションと、
−半径方向外側のベルトストリップの周方向に配置され、少なくともその軸方向外側部分に取り付けられる、少なくとも１つの第１の繊維または金属コードの層を取り付けるためのデバイスが設けられるコード取付けワークステーションと、
−少なくとも１つの第１のカーカスプライを取り付けるためのデバイスが設けられるプライ取付けワークステーションと、の中の１つを含む。
【００５０】
プラントは、好ましくは、タイヤが組み立てられる少なくとも１つの形成ドラムをさらに含む。
【００５１】
好適な実施形態によれば、プラントは、
−第１の形成ドラム上の少なくとも１つのカーカス構造組立ラインであって、前記カーカス構造が少なくとも１つのカーカスプライと一対の環状アンカー構造とを含む、カーカス構造組立ラインと、
−第２の形成ドラム上の少なくとも１つのクラウン構造組立ラインであって、前記クラウン構造が少なくとも１つのベルト構造とトレッドバンドを含む、クラウン構造組立ラインとをさらに含む。
【００５２】
有利には、グリーンタイヤを得るために、前記カーカス構造を前記クラウン構造に組み付けながら成形するように適合された、被加工タイヤの少なくとも１つの組み付けおよび成形ワークステーションも設けられる。
【００５３】
好ましくは、本発明のプラントは、エラストマー材料の連続的な細長い要素を、隣接するおよび／または半径方向に並置されたコイル状に、形成ドラムの半径方向外側の表面上に巻き付けながら配置するように適合された前記トレッドバンドの少なくとも１つの取付けデバイスが設けられる少なくとも１つのトレッドバンド組立ワークステーションを含む。
【００５４】
有利には、前記トレッドバンド組立ワークステーションは少なくとも２つの前記取付けデバイスを含み、そのそれぞれが他方と異なるエラストマー材料の連続的な細長い要素を供給する。
【００５５】
本発明の好適な実施形態によれば、プラントは被加工タイヤを１つのワークステーションから次のワークステーションに搬送するためのデバイスをさらに含む。
【００５６】
好ましくは、前記搬送デバイスは少なくとも１つのロボットアームを含む。
【００５７】
本発明の方法の好適な実施形態によれば、前記ｎｋ個の基本半製品が供給されるワークステーションの数ｍは３以上である。
【００５８】
より好ましくは、ｍは４に等しい。
【００５９】
本発明の方法の好適な実施形態によれば、ｋ番目のワークステーションそれぞれにおいて、ｋ番目のステーションに供給される基本半製品の数ｎｋは２に等しい。
【００６０】
有利には、ｋ番目のワークステーションの少なくとも１つのｎｋは３以上である。
【００６１】
本発明の方法の一実施形態によれば、ｋ番目のワークステーションに供給される各基本半製品は、異なるｋ番目のワークステーションに供給される各基本半製品とは異なる。
【００６２】
好ましくは、ｋ番目のワークステーションに供給される各基本半製品は、ｍ個のワークステーションの残りのワークステーションに供給される残りすべての基本半製品と異なる。
【００６３】
好ましくは、本発明の方法は、
−事前に用意された基本半製品を、基本半製品の各々の一時保管ユニット内に保管するステップ
をさらに含む。
【００６４】
有利には、また、
−基本半製品準備ラインに配置された前記基本半製品を各々の一時保管ユニットに搬送するステップ
を含む。
【００６５】
好適な実施形態によれば、本発明の方法は、
−前記ｎｋ個の基本半製品を一時保管ユニットから、対応するｋ番目のワークステーションの対応する半製品供給ユニットに搬送するステップ
をさらに含む。
【００６６】
好ましくは、ｋ番目のワークステーションに供給される前記ｎｋ個の基本半製品から選択される少なくとも１つの基本半製品から開始して被加工タイヤの構造部品の少なくとも１つの部分を組み立てるステップは、
−少なくとも１つのエラストマー材料の連続的な細長い要素を、隣接するおよび／または半径方向に並置されたコイル状に形成ドラムの半径方向外側の表面上に巻き付けるステップ
を含む。
【００６７】
より好ましくは、前記連続的な細長い要素は２つであり、かつ異なるエラストマー材料から作成される。
【００６８】
発明のさらなる特徴および利点は、添付の図面を参照して発明を限定しない例を示すことにより作成された本発明による組立プラント、工程および方法のいくつかの好適な実施例についての以下の説明からより明確になろう。
【図面の簡単な説明】
【００６９】
【図１】本発明の第１の実施形態による方法および工程が実施される車両車輪用グリーンタイヤを組み立てるためのプラントの概略レイアウトを示す。
【図２】本発明のさらなる実施形態による方法および工程が実施される車両車輪用グリーンタイヤを組み立てるためのプラントの概略レイアウトを示す。
【発明を実施するための形態】
【００７０】
図１を参照すると、参照番号１は、車両車輪用グリーンタイヤを組み立てるためのプラントを全体的に示す。
【００７１】
図１に示される第１の好適な実施形態によれば、プラント１は、カーカス構造組立ライン２とクラウン構造組立ライン３とを含む。
【００７２】
カーカス構造組立ライン２は、複数のワークステーションと、カーカス構造が組み立てられる少なくとも１つの第１の形成ドラムとを含む。同様に、クラウン構造組立ライン３は、複数のワークステーションと、クラウン構造が組み立てられる少なくとも１つの第２の形成ドラムとを含む。
【００７３】
そのようなプラント１において組み立てられるべきタイヤのカーカス構造は少なくとも１つのカーカスプライと一対の環状アンカー構造とを含む。クラウン構造は少なくとも１つのベルト構造とトレッドバンドとを含む。
【００７４】
プラント１は、グリーンタイヤを得るために、カーカス構造を、クラウン構造に組み付けながら成形するように適合された、被加工タイヤの複数の組み付けおよび成形ワークステーション４を含む。
【００７５】
本発明によれば、プラント１は、それぞれに互いに異なる少なくとも１つの第１の基本半製品と少なくとも１つの第２の基本半製品とが供給される少なくとも１つの第１のワークステーションと少なくとも１つの第２のワークステーションを含む。
【００７６】
基本半製品は、例えば、エラストマー材料の種類、密度（つまり半製品の断面における単位幅毎のコードの数）、コードの種類（繊維、金属）、（基本フィラメントから開始する）スキームにより異なってもよい。
【００７７】
そのような半製品は、対応する供給ユニット１２によって各々のワークステーションに供給される。
【００７８】
したがって、プラント１は、前記第１の基本半製品の少なくとも１つの第１の供給ユニット１２と、前記第２の基本半製品の少なくとも１つの第２の供給ユニット１２とを含み、少なくとも２つのワークステーションのそれぞれには少なくとも１つの第１の基本半製品と少なくとも１つの第２の基本半製品とが供給される。
【００７９】
本発明によれば、前記第１のワークステーションおよび第２のワークステーションのそれぞれが、ワークステーションそれ自体に供給される前記第１の基本半製品と第２の基本半製品とのうちで選択した少なくとも１つの基本半製品から開始して被加工タイヤの構造部品の少なくとも１つの部分を組み立てるように適合されている。
【００８０】
好ましくは、基本半製品の供給ユニット１２は半製品供給デバイスを含む。
【００８１】
プラント１は、基本半製品の一時保管ユニット２９をさらに含む。そのような一時保管ユニット２９は好ましくは基本半製品のコイルを含む。
【００８２】
図１に示される第１の実施形態では、２つの基本半製品が対応する供給ユニット１２によって供給される４つのワークステーションであって、
−前記第２の形成ドラム上に少なくとも第１のベルトストリップを取り付けるためのデバイスが設けられる第１のベルト取付けワークステーション９と、
−前記第１のベルトストリップの半径方向外側の位置に第２のベルトストリップを取り付けるためのデバイスが設けられる第２のベルト取付けワークステーション３１と、
−少なくともその軸方向外側部分に取り付けられる、半径方向外側のベルトストリップ上に、周方向に、つまりゼロ度で配置される、少なくとも１つの第１の繊維または金属コードの層を取り付けるためのデバイスが設けられるコード取付けワークステーション１０と、
−少なくとも１つの第１のカーカスプライを前記第１の形成ドラム上に取り付けるためのデバイスが設けられるプライ取付けワークステーション８と、が示される。
【００８３】
そのような図１は、また、前記トレッドバンドを取り付けるための少なくとも２つのデバイス３０が設けられるトレッドバンド組立ステーション１１を示す。そのような取付けデバイス３０のそれぞれは、隣接するおよび／または半径方向に並置されたコイル状に、エラストマー材料の連続的な細長い要素を、それを第２の形成ドラムの半径方向外側の表面上に、より正確には、すでに組立済みのベルト構造の半径方向外側の表面上に巻き付けることにより配置するように適合されている。
【００８４】
ここで図２を参照すると、プラント１'は第１の実施形態に関して上記したすべてに加え、以下に記載されるさらなる要素を含むことがわかる。２つの図では、同じ参照符号は同じ要素に対応する。
【００８５】
プラント１'は、カーカス構造組立ライン２'と、クラウン構造組立ライン３'と、第１の実施形態に関するプラント１に類似する組み付けおよび成形ワークステーション４と、を含む。
【００８６】
カーカス構造組立ライン２'は、複数のワークステーションと、カーカス構造が組み立てられる少なくとも１つの第１の形成ドラム６とを含む。同様に、クラウン構造組立ライン３は、複数のワークステーションと、クラウン構造が組み立てられる少なくとも１つの第２の形成ドラム７とを含む。
【００８７】
プラント１'は、次に供給ユニット１２によりワークステーションに供給されるように適合された基本半製品を配置するように適合された基本半製品準備ライン２８を含む。
【００８８】
図２の例によって示される実施形態によれば、プラント１'のカーカス構造組立ライン２'は、
−少なくとも１つのビード補強布を形成ドラム上に取り付けるためのデバイスが設けられる補強布１３を取り付けるためのステーション１３と、
−前記形成ドラムの半径方向外側の位置に耐摩耗要素の少なくとも第１の部分を取り付けるためのデバイスが設けられる第１の耐摩耗取付けステーション１４と、
−形成ドラムの半径方向外側の位置にライナ層を取り付けるためのデバイスが設けられるライナ取付けステーション１５と、
−前記ライナの半径方向外側の位置にサブライナ層を取り付けるためのデバイスが設けられるサブライナ取付けステーション１６と、
−少なくとも第１のカーカスプライをサブライナ層の半径方向外側の位置に取り付けるためのデバイスが設けられるプライ取付けステーション８と、
−前記少なくとも１つのカーカスプライに複数の第１の中間要素を取り付けるためのデバイスが設けられる第１の中間要素を取り付けるためのステーション１７と、
−複数の内部補強材を前記第１の中間要素に取り付けるためのデバイスが設けられる内部補強材取付けステーション１８と、
−前記少なくとも１つのカーカスプライの軸方向対向端に少なくとも１つの一対の環状アンカー構造を取り付けるためのデバイスが設けられる環状アンカー構造を取り付けるためのステーション１９と、
−耐摩耗要素の少なくとも第２の部分を取り付けるためのデバイスが設けられる第２の耐摩耗取付けステーション２０と、
−被加工タイヤのサイドの少なくとも第１の部分を取り付けるためのデバイスが設けられる第１のサイドウォール組立ステーション２１と、をさらに含む。
【００８９】
プラント１'のカーカス構造組立ライン２'は、任意選択で、図に示されないワークステーションすなわち、
−自己密封材料の層をサブライナ層の半径方向外側の位置に取り付けるためのデバイスが設けられる自己密封材料取付けステーションと、
−前記少なくとも１つのカーカスプライに複数の外部補強材を取り付けるためのデバイスが設けられる外部補強材取付けステーションと、
−前記少なくとも１つのカーカスプライに外部プライを取り付けるためのデバイスが設けられる外部プライ取付けステーションと、を含んでもよい。
【００９０】
プラント１'のクラウン構造組立ライン３'は、
−アンダーベルト層を形成ドラム上に取り付けるためのデバイスが設けられるアンダーベルト層取付けステーション２２と、
−前記形成ドラムの半径方向外側の位置に少なくとも第１のベルトストリップを取り付けるためのデバイスが設けられる第１のベルト取付けステーション９と、
−少なくとも１つの第２の中間要素を第１のベルトストリップ上に配置するためのデバイスが設けられる第２の中間要素配置ステーション２３と、
−前記第２の中間要素の半径方向外側の位置に第２のベルトストリップを取り付けるためのデバイスが設けられる第２のベルト取付けステーション３１と、
−第１のベルトストリップの端部を第２のベルトストリップ上に折り返すためのデバイスが設けられるベルト折り返しステーション２４と、
−少なくともその軸方向外側部分に取り付けられる、半径方向外側のベルトストリップ上に、周方向に、つまりゼロ度で配置されるコードの少なくとも第１の層を取り付けるためのデバイスが設けられるコード取付けワークステーション１０と、
−少なくとも１つのサブ層をコード層の半径方向外側の位置に取り付けるためのデバイスが設けられる１つのサブ層取付けワークステーション２５と、
−４つのトレッドバンド組立ワークステーション１１であって、そのそれぞれに、前記サブ層の半径方向外側の位置に少なくとも１つのトレッドバンドを取り付けるためのデバイスが設けられる４つのトレッドバンド組立ワークステーション１１と、
−トレッドバンドの軸方向外側の位置の少なくともサイドウォールの第２の部分を組み立てるためのデバイスが設けられる第２のサイドウォール組立ステーション２６と、を含む。
【００９１】
プラント１'は、基本半製品を供給するためのユニット１２をさらに含む。
【００９２】
特に、以下のワークステーションすなわち、
−第１のベルト取付けステーション９と、
−第２のベルト取付けステーション３１と、
−コード取付けステーション１０と、のそれぞれにおいて、
プラント１'には前記ステーションのそれぞれに供給される２つの対応する異なる基本半製品の２つの供給ユニット１２が設けられる。
【００９３】
プライ取付けステーション８においては、その一方で、プラント１'は、同じプライ取付けステーション８に供給される３つの対応する異なる基本半製品の３つの供給ユニット１２を含む。
【００９４】
また、プラント１'は基本半製品の一時保管ユニット２９を含む。そのような基本半製品の一時保管ユニット２９は、好ましくは基本半製品のコイルを含む。
【００９５】
プラント１'は、被加工タイヤを１つのワークステーションから次のワークステーションに搬送するためのデバイスをさらに含む。
【００９６】
特に、前記搬送デバイスのそれぞれは１つのロボットアーム２７を含む。
【００９７】
プラント１'は、また、組み立て済みのグリーンタイヤの成型および硬化ライン５を含む。
【００９８】
図に示されない別の実施形態によれば、２つ以上のプライ取付けステーション、特に、第１のカーカスプライを取り付けるように適合されたステーションと、さらなるカーカスプライを取り付けるように適合されたさらなるステーションとを提供することが可能である。
【００９９】
図に示されない本発明のプラントのさらなる実施形態は、１つ以上のベルトストリップを取り付けるための単一のステーションを提供する。
【０１００】
図１に示される組立プラント１を参照して、本発明によるタイヤを組み立てるための工程の好適な実施形態がここで説明される。
【０１０１】
グリーンタイヤのカーカス構造はカーカス構造組立ライン２のワークステーションに供給される基本半製品の使用によって組み立てられる。
【０１０２】
被加工タイヤのカーカス構造は、好ましくは、図１に矢印で示される方向に、同じカーカス構造が完成するまで１つのワークステーションから次のワークステーションに搬送される。
【０１０３】
カーカス構造の組立時、被加工タイヤが、半製品の２つの供給ユニット１２が設けられるプライ取付けステーション８に搬送されると、その中に供給される２つの半製品の１つを製造されるべきタイヤの技術的要件に基づき選択することが可能である。第１のカーカスプライが選択した半製品を使用して取り付けられると、再度プライ取付けステーション８に供給される２つの半製品の１つを選択することにより第１のプライの半径方向外側の位置に第２のプライを取り付けるか、タイヤを次のワークステーションに搬送することが可能である。
【０１０４】
被加工タイヤがプライ取付けステーション８の外に搬送されると、プライ取付けステーション８はさらなる被加工タイヤを受容し、前のカーカス構造に等しいまたは異なるカーカス構造を組み立てることによって少なくとも第１のカーカスプライ取り付けるために、再度、その中に供給される２つの基本半製品の１つを選択することが可能である。
【０１０５】
被加工タイヤのクラウン構造は、一方で、クラウン構造組立ライン３において当該クラウン構造組立ライン３のワークステーションに供給される基本半製品の使用により組み立てられる。
【０１０６】
被加工タイヤのクラウン構造は、好ましくは、図１に矢印で示される方向に、クラウン構造が完成するまで１つのワークステーションから次のワークステーションに搬送される。
【０１０７】
クラウン構造の組立時、クラウン構造が第１のベルト取付けステーション９に、第２のベルト取付けステーション３１に、およびコード取付けステーション１０に搬送されると、そのようなステーションのそれぞれにおいて、その中に供給される２つの基本半製品の１つ選択することが可能であり、結果として選択した半製品の組み合わせに従い異なるクラウン構造が得られる。
【０１０８】
したがって、得られたクラウン構造およびカーカス構造は、その後、組み付けおよび成形ステーション４において組み立てられ、そこから異なる種類の組み立て済みタイヤが得られる。
【０１０９】
図２に示される組立プラント１'を参照して、本発明によるタイヤを組み立てるための工程の第２の好適な実施形態がここで説明される。
【０１１０】
基本半製品は基本半製品準備ライン２８に配置される。
【０１１１】
そのような基本半製品は、対応する一時保管ユニット２９に搬送され、それらは対応する供給ユニット１２に搬送されるまでそこに留まる。
【０１１２】
第２の実施形態によれば、本発明の工程は、プライ取付けステーション８に供給されるように適合された互いに異なる３つの対応する基本半製品の３つの供給ユニット１２の配置を提供する。プライ取付けステーション８では前記３つの基本半製品の少なくとも１つから開始して被加工タイヤの少なくとも１つの第１のプライを取り付けるように適合されている。
【０１１３】
工程は、第１のベルト取付けワークステーション９と、第２のベルト取付けワークステーション３１と、コード取付けワークステーション１０とのうちのそれぞれに供給するように適合された２つの対応する異なる基本半製品の２つの供給ユニット１２を配置するためのステップをさらに提供する。このようにして、少なくとも１つの基本半製品を、以下の工程作業のそれぞれのために対応するステーションに供給される２つの半製品のなかから選択することが可能である。
−第１のベルトストリップを取り付けるステップ、
−第２のベルトストリップを前記第１のベルトストリップの半径方向外側の位置に取り付けるステップ、
−半径方向外側のベルトストリップの半径方向外側の位置に周方向に配置され、かつ少なくともその軸方向外側部分に取り付けられる、少なくとも１つの第１の繊維または金属コードの層を取り付けるステップ。
【０１１４】
好適なケースでは、被加工タイヤのカーカス構造は１つのカーカス構造組立ライン２'の第１の形成ドラム６上で以下の工程作業により実施される。
−第１の形成ドラム６の半径方向外側の位置に少なくとも１つのビード補強布を取り付けるステップ、
−第１の形成ドラム６の半径方向外側の位置に耐摩耗要素の少なくとも１つの第１の部分を取り付けるステップ、
−形成ドラムの半径方向外側の位置にライナ層を取り付けるステップ、
−前記ライナの半径方向外側の位置にアンダーライナ層を取り付けるステップ、
−少なくとも１つの第１のカーカスプライを、プライ取付けステーション８に供給される３つの基本半製品の中から選択した少なくとも１つの基本半製品を使用してアンダーライナ層の半径方向外側の位置に取り付けるステップ、
−複数の第１の中間要素を前記少なくとも１つのカーカスプライに取り付けるステップ、
−複数の内部補強材を前記第１の中間要素に取り付けるステップ、
−少なくとも１つの一対の環状アンカー構造を前記少なくとも１つのカーカスプライの軸方向対向端に取り付けるステップ、
−耐摩耗要素の少なくとも第２の部分を取り付けるステップ、
−被加工タイヤのサイドウォールの少なくとも１つの第１の部分を取り付けるステップ。
【０１１５】
別の実施形態によれば、カーカス構造の組み立ては、また、以下の工程作業の少なくとも１つを含む。
−自己密封材料の層を取り付けるステップ、
−前記少なくとも１つのカーカスプライに複数の外部補強材を取り付けるステップ、
−前記少なくとも１つのカーカスプライに外部プライを取り付けるステップ。
【０１１６】
好適なケースでは、被加工タイヤのクラウン構造はクラウン構造組立ライン３'の第２の形成ドラム上で以下の工程作業により実施される。
−第２の形成ドラム７の半径方向外側の位置にアンダーベルト層を取り付けるステップ、
−少なくとも１つの第１のベルトストリップを、第１のベルト取付けステーション９に供給される２つの基本半製品から選択した少なくとも１つの基本半製品を使用して、第２の形成ドラム７の半径方向外側の位置に取り付けるステップ、
−第１のベルトストリップ上に少なくとも第２の中間要素を配置するステップ、
−第２のベルトストリップを、第２のベルト取付けステーション３１に供給される２つの基本半製品から選択した少なくとも１つの基本半製品を使用して、前記第１のベルトストリップの半径方向外側の位置に取り付けるステップ、
−第１のベルトストリップの端部を第２のベルトストリップ上に折り返すステップ、
−半径方向外側のベルトストリップの半径方向外側の位置に周方向に配置される少なくとも１つの第１の金属または繊維コードの層を、コード取付けステーション１０に供給される２つの基本半製品から選択した少なくとも１つの基本半製品を使用して取り付けるステップ、
−少なくとも１つのサブ層をコード層上に取り付けるステップ、
−少なくとも１つのトレッドバンドを前記サブ層の半径方向外側の位置に取り付けるステップ、
−被加工タイヤのサイドウォールの少なくとも第２の部分を前記トレッドバンドの軸方向外側の位置に取り付けるステップ。
【０１１７】
そのような本発明の工程の第２の好適な実施形態によれば、トレッドバンドは、少なくとも組成が互いに異なる２つのエラストマー材料の連続的な細長い要素を、隣接するおよび／または半径方向に並置されたコイル状に第２の形成ドラム７の半径方向外側の表面上に巻き付けることによって組み立てられる。
【０１１８】
異なるカーカス構造およびクラウン構造が組み立てられると、工程では、被加工タイヤの１つの組み付けおよび成形ワークステーション４において、カーカス構造を、対応するクラウン構造に組み付けながら、トロイダル状に成形するステップを提供する。
【０１１９】
さらに、そのような実施形態によれば、各カーカス構造は、各々の第１の形成ドラム６に関連し、各々の第１の形成ドラム６の上で、被加工タイヤの成形および組み付けが終了するまで組み付けられる。
【０１２０】
被加工タイヤは、好ましくは、１つのワークステーションから次のワークステーションに少なくとも１つのロボットアーム２７によって搬送される。
【０１２１】
タイヤの組立が完了すると、適切な成型および硬化ライン５においてタイヤの硬化および成型作業を提供することが可能である。
【０１２２】
図１および２を参照して、本発明による、各タイヤサイズの異なる種類の車両車輪用グリーンタイヤを組み立てるための方法がここで説明される。
【０１２３】
本発明の方法は、前記ｎｋ個の基本半製品が供給されるｍ個のワークステーションのｋ番目のワークステーションそれぞれにｎｋ個の異なる基本半製品を供給するステップを提供する。換言すると、複数の基本半製品が供給されるｍ個のワークステーションのｋ番目のステーションそれぞれには可変数ｎｋ個の異なる基本半製品が供給される。
【０１２４】
したがって、ｎ１は第１のワークステーションに供給される半製品の数とし、ｎ２は第２のワークステーションに供給される半製品の数、などとなる。
【０１２５】
したがって、方法は、ｋ番目のワークステーションそれぞれにおいて、ワークステーションそれ自体に供給される前記ｎｋ個の基本半製品から選択される少なくとも１つの基本半製品から開始して被加工タイヤの構造部品の少なくとも１つの部分を組み立てるステップを提供する。
【０１２６】
本発明の方法によれば、各サイズのグリーンタイヤの前記異なる種類は、
Πｋ=１，ｍ  ｎｋに等しく、
ここでｍおよび各ｎｋは２を超えるまたはそれに等しい。
【０１２７】
そのような方法を示される実施形態に適用することにより、以下の結果となる。
【０１２８】
第１の実施形態では、複数の半製品が供給されるステーションは４つであり、４つのステーションのそれぞれに供給される半製品の数は２に等しい。つまりｍ＝４およびｎ１＝ｎ２＝ｎ３＝ｎ４＝２である。
【０１２９】
したがって、本発明の方法を使用すると、各タイヤサイズについて、２×２×２×２、つまり１６個の種類の異なるタイヤを、組立サイクルを中断することなく組み立てることが可能である。
【０１３０】
第２の実施形態では、複数の半製品が供給されるステーションは４つであり、前記ステーションの第１のステーションに供給される半製品の数は３に等しく、前記４つのステーションの残りの第２、第３および第４では２に等しい。つまりｍ＝４、ｎ１＝３、ｎ２＝ｎ３＝ｎ４＝２である。
【０１３１】
したがって、本発明の方法を使用することにより、各タイヤサイズについて、３×２×２×２、つまり２４個の種類の異なるタイヤを、組立サイクルを中断することなく組み立てることが可能である。
【０１３２】
最後に、トレッドバンドを組み立てるように適合されたワークステーションに設けられる供給デバイスのために、各サイズにおいて作成することができる異なる種類のタイヤの数は大きくなることに留意されたい。実際に、例えば、トレッドバンドを組み立てるように適合されたワークステーションでは、（トレッドバンド全体の組み立てに使用される）互いに異なる連続的な細長い要素の２つの供給デバイスが設けられる。上に示された第１の例では、１６×２、つまり３２種類の異なるタイヤが得られ、第２の例では２４×２、つまり４８種類の異なるタイヤが得られる。
【０１３３】
したがって、図に概略的に示される組立プラント１および１'は、各タイヤサイズおいて、異なる種類のグリーンタイヤを得ることを可能にする。当然、本発明の方法および工程により組み立てることができるタイヤの種類数、したがって、そのような方法および工程の柔軟性は、それらが異なるサイズのタイヤの組立も可能にすることを考えるとさらに増加する。
【０１３４】
上記および以下の特許請求の範囲のこの記載の範囲内において、量、パラメータ、割合などを示す数値はすべて、特に明記されない限り、常に用語「約」が前に付くものと見なされる。さらに、数値範囲はすべて、文書中に具体的に指定されるものを除き、最大の数値と最小の数値との考えうるあらゆる組み合わせと、考えうるあらゆる中間範囲とを含む。
【図１】
2013514909.tif 000003
【図２】
2013514909.tif 000004
【国際調査報告】
2013514909.tif 000005
2013514909.tif 000006
2013514909.tif 000007